(57)【要約】【課題】吐水をすぐに止めて余計な吐水を強いられず、かつ、水栓金具本体の部品点数を低減させてコンパクトにすると共に安価でシンプルな水栓金具を提供することを目的とする。【解決手段】給水管と給湯管に接続された水栓金具本体内に流入する湯と水とを所望の温度に混合するための温度調整部を水栓金具本体内に備え、この温度調整部で混合された湯水を水栓金具本体に接続された可撓性のシャワーホースを経由して吐水部の吐水口から吐水するとともに、吐水口からの吐水を行うための開閉弁を水栓金具本体内に備えずに吐水部に備え、かつ、温度調整部と吐水部とを別々にシンク近傍に配置し、さらに、吐水部は所定の範囲内に引き出し自在に形成されていることを特徴とする水栓金具とした。【選択図】  図１
2004197446.tif 000002
【特許請求の範囲】
【請求項１】
給水管と給湯管に接続された水栓金具であって、該水栓金具本体内に流入する湯と水とを所望の温度に混合するための温度調整部を備え、この温度調整部で混合された湯水を前記水栓金具本体に接続された可撓性のシャワーホースを経由して吐水部の吐水口から吐水するとともに、吐水口からの吐水を行うための開閉弁を吐水部に備え、かつ、温度調整部と吐水部とを別々にシンク近傍に配置し、さらに、吐水部は所定の範囲内に引き出し自在に形成されていることを特徴とする水栓金具。
【請求項２】
前記開閉弁は流量調整機能を有することを特徴とする請求項１記載の水栓金具。
【請求項３】
前記吐水部は、湯水の流路を備えた保持部と、保持部の流路に連通された複数の散水孔を吐水口として側面に備えた散水部と、保持部と散水部の間に設けた開閉弁と、この開閉弁を操作する操作部とを備え、散水部の一端部に開閉弁を介在させて保持部が接続されており、散水部の他端部に操作部を設け、さらにこの操作部に連動して動き、開閉弁の開閉作動を行う軸を散水部内に配置したことを特徴とする請求項１または請求項２記載の水栓金具。
【発明の詳細な説明】
【０００１】
【発明の属する技術分野】
本発明は、水栓金具に関する。詳しくは、洗面化粧台などで使用される水栓金具であり、所定の範囲内に引き出し自在にするため可撓性のシャワーホースに接続されたシャワーヘッドを有する水栓金具に関する。
【０００２】
【従来の技術】
【０００３】
従来の洗面化粧台などで使用される水栓金具として、、図１１に示す水栓金具Ｚがある。
この水栓金具Ｚは、水栓金具本体に設けた温度調整部１０３と流量調整部１０４とが一軸上にカウンター１１３上に配置しており、これらの温度調整部１０３および流量調整部１０４とは別の位置にシャワーヘッド１０７を配置されている。
そして、図示しないが、カウンター１１３下側で、水栓金具本体にシャワーホース１０６が接続されており、そのシャワーホース１０６の他端にシャワーヘッド１０７が接続されている。さらに、このシャワーヘッド１０７を係止しておく筒状のフック部１０９がカウンター上に設置しており、このフック部１０９からシャワーヘッド１０７を引き出して利用することができる。
使用者は、温度調整部１０３と流量調整部１０４とを操作して、別体に設けられているシャワーヘッド１０７の散水部１０７ａから吐水を行って手洗いや洗顔などに利用する。
なお、図中の１０７ｃは、シャワーヘッド１０７からの吐水形態を切り替える吐水切替部である。
（たとえば、非特許文献１を参照のこと）
【０００４】
【非特許文献１】
ＴＯＴＯ  総合カタログ２００２〜２００３年版  Ｐ．４７４
【０００５】
【発明が解決しようとする課題】
しかしながら、従来の水栓金具においては、以下の問題を有していた。
水栓金具本体に温度調整部１０３、流量調整部１０４を備え、さらにシャワーホース１０６を接続するため、凹凸が多く複雑な外観となって形状が大きくなって、設置空間が大きくなってしまうおそれがあった。
さらに、流量調整部１０４がシャワーヘッド１０７と別体に形成されて少し離れた位置に配置されているため、特に洗顔したときなど、しずくが垂れないように顔を下に向けた状態で流量調整部１０４を手探りで探さなければならず、必ずしも使用勝手が良いとは言い難かった。
また、手探りで流量調整部１０４を探す間は、余計な吐水を強いられており、節水の観点からも改善する余地があった。
【０００６】
そこで、本発明では以上の問題点を解決し、吐水をすぐに止めて余計な吐水を強いられず、かつ、水栓金具本体の部品点数を低減させてコンパクトにすると共に安価でシンプルな水栓金具を提供することを目的とする。
【０００７】
【課題を解決するための手段】
本発明の請求項１では、給水管と給湯管に接続された水栓金具本体内に流入する湯と水とを所望の温度に混合するための温度調整部を水栓金具本体内に備え、この温度調整部で混合された湯水を水栓金具本体に接続された可撓性のシャワーホースを経由して吐水部の吐水口から吐水するとともに、吐水口からの吐水を行うための開閉弁を水栓金具本体内に備えずに吐水部に備え、かつ、温度調整部と吐水部とを別々にシンク近傍に配置し、さらに、吐水部は所定の範囲内に引き出し自在に形成されていることを特徴とする水栓金具とした。
【０００８】
これにより、吐水をすぐに止めて余計な吐水を強いられず、かつ、水栓金具本体の部品点数を低減させてコンパクトにすると共に安価でシンプルな水栓金具を提供することができる。
また、水栓金具本体から吐水部までシャワーホースを経由しているので、水栓金具本体から離れた吐水部の開閉弁で吐水・止水を行うことができるので使用勝手が向上し、また、シャワーホースを引き出した状態で使用する場合においても、吐水部の近傍に設けた開閉弁を操作させれば吐水・止水をすることができるので、余計な吐水を強いられることがない。
また、水栓金具本体に開閉弁を設けずに吐水口の近傍である吐水部に開閉弁を設けているので、水栓金具本体をコンパクトにすることができる。特に、従来、温度調整部と流量調整部とを備えた水栓金具本体をシンク裏の空間に配置する場合は十分な空間を必要としていた。そのため設置に制約を受けていたが、本発明の水栓金具を用いることで、水栓金具本体をコンパクトにすることができ、いままで設置できなかった狭い空間にも容易に設置することができる。
【０００９】
本発明の請求項２では、前記開閉弁は流量調整機能を有することを特徴とする請求項１に記載の水栓金具とした。
【００１０】
これにより、吐水される吐水口の近傍で吐水・止水のほかに流量調整もできるので、さらに使用勝手が向上する。
【００１１】
本発明の請求項３では、前記吐水部をシャワーヘッドとし、さらに、このシャワーヘッドは湯水の流路を備えた保持部と、保持部の流路に連通された複数の散水孔を吐水口として側面に備えた散水部と、保持部と散水部の間に設けた開閉弁と、この開閉弁を操作する操作部とを備えたシャワーヘッドであって、散水部の一端部に開閉弁を介在させて保持部が接続されており、散水部の他端部に操作部を設け、さらにこの操作部に連動して動き、開閉弁の開閉作動を行う軸を散水部内に配置し、かつ、このシャワーヘッドを水平になるようにフックで保持してなることを特徴とする請求項１または２に記載の水栓金具とした。
【００１２】
これにより、操作部が使用者側に向いてシャワーヘッドの先端に位置するため、容易に操作することができる。つまり、吐水口近傍の開閉弁にて吐水・止水をすることができるので、開閉弁を操作させてすぐに吐水口に手を差し出すことができる。つまり、動線を短くすることができるのである。
また、洗顔時など顔を下に向けた状態で開閉弁の操作部が見え難い場合でも、吐水を手がかりにして容易に開閉弁の操作部を見つけることができる。
【００１３】
【発明の実施の形態】
以上説明した本発明の構成・作用を一層明らかにするために、以下本発明の好適な実施例について説明する。
【００１４】
図１に本発明の一実施例である水栓金具の概略構造図を示す。
この水栓金具は、洗面化粧台などで使用する水栓金具である。
給水管１ａと給湯管１ｂに接続された水栓金具本体２内に流入する湯と水とを所望の温度に混合するための温度調整部３を水栓金具本体２内に備えている。
また、この温度調整部３で混合された湯水を水栓金具本体２に接続された可撓性のシャワーホース４ａを経由して吐水部４ｂの吐水口４１ｃから吐水するようにしている。
また、吐水口４１ｃからの吐水を行うための開閉弁４２を水栓金具本体２内に備えずに吐水部４ｂに備えている。
さらに、この開閉弁４２は流量調整機能を有している。
そして、温度調整部３と吐水部４ｂとを別々にシンク１２近傍に配置し、さらに、吐水部４ｂは所定の範囲内に引き出し自在に形成されている。
また、水栓金具本体２とシャワーホース４ａとの間に調圧弁８を介在させている。
【００１５】
次に、図２、３に基づき、本発明の一実施例である水栓金具Ａを洗面化粧台に用いる場合について説明する。
この水栓金具Ａは、カウンター１１下に水栓金具本体（図示せず）を設置し、この水栓金具本体に温度調整部３を設け、この温度調整部３の操作部３ａをカウンター１１上に配置し、この温度調整部３を操作して湯と水とを所望の温度に混合する。
この温度調整部３で混合された湯水は、水栓金具本体２に接続されたシャワーホース４ａへ供給される。
そして、シャワーホース４ａの他端に接続されたシャワーノズル４ｂ（吐水部）の散水孔４１ｃ（吐水口）からシンク１２内へ吐水される。
なお、シャワーノズル４ｂは、温度調整部３とは別体に形成し、この温度調整部３から少し離れた位置にフック部１０を配置している。
このフック部１０は、基部１０ａに回動自在に設けられており、フック部１０に吐水部４ｂを係止した状態でフック部１０を軸として吐水部４ｂを水平方向に回転させることで吐水範囲を広げることができる。
さらに、このシャワーノズル４ｂは、図３中の点線で示すように、フック部１０から引き出して使用することができる。
そして、この水栓金具Ａにおいては、吐水・止水をシャワーヘッド４ｂに設けた操作部４３、７０を操作することで行う。
この操作部４３、７０は、使用者側に向いているため、容易に操作できるとともに、操作した後すぐに吐水口である散水孔４１ｃに手を差し出すことができる。つまり、散水孔４１ｃの近傍に操作部４３、７０が配置されているので、吐水、手洗い、止水の一連の動作がほとんど同じ位置でできるため、各動作に移る間隔がほとんどなく無駄な吐水を強いられることがない。そのため、この水栓金具Ｂを用いることによって節水効果を奏することができる。
【００１６】
次に、図２、３に用いたシャワーヘッド４ｂの詳細構造について、図４および５に基づき説明する。
本発明の水栓金具Ａにおけるシャワーヘッド４ｂには、湯水流入口４７aと湯水の流路４７ｂを備えた保持部４１ａと、保持部４１aの流路４７ｂに連通された吐水口である複数の散水孔４１ｃを側面に有する散水部４１ｂと、保持部４１ａと散水部４１ｂの間に設けた開閉弁４２と、この開閉弁４２を操作する操作部である押ボタン４３とを設けている。
そして、散水部４１ｂの一端部に開閉弁４２を介在させて保持部４１ａを接続し、散水部４１ｂの他端部に押しボタン４３を設け、さらにこの押ボタン４３に連動して動き、開閉弁４２の開閉作動を行う軸４４を散水部４１ｂ内に配置している。
【００１７】
水栓金具本体２に開閉機構を設けずに、シャワーヘッド４ｂに押ボタン４３による開閉機構を設けたことにより、水栓金具本体２をコンパクトにすることができ、さらには、シャワーヘッド４ｂの開閉機構を主として開閉させることで操作性を向上させることができる。
また、シャワーヘッド４ｂの先端に押ボタン４３を設けたことで、フック部１０に係止させた状態で、前方に位置する押ボタン４３を前から押すだけで吐水・止水をすることができる。
【００１８】
では、図４および５に基づき、さらにシャワーヘッド４ｂの構造について詳細説明を行う。
図４に基づき、シャワーヘッド４ｂの外観について説明する。
シャワーヘッド４ｂは、Ｉ字型の略柱形状をしている。
そして、シャワーヘッド４ｂは、手で持つ保持部４１ａと、側面に複数の散水孔４１ｃを形成した散水部４１ｂとを備えている。
また、シャワーヘッド４ｂの一端には継手４５を介してシャワーホース（図示せず）を接続し、他端には散水孔４１ｃからの吐水・止水を操作する押ボタン４３が設けられている。
なお、散水孔４１ｃの領域を除き、めっきなどの表面処理を施した外カバー４６にてシャワーヘッド４ｂ（散水部４１ｂの一部と保持部４１ａ）を覆っている。
【００１９】
次に外カバー４６について説明する。
螺着された散水管４１ｂ及び保持管４７の外周部には散水孔４１ｃ以外の全てを覆うように外カバー４６が装備されている。
そして、この外カバー４６は、めっきや塗装が施せる材料で作成されることが望ましい。
また、外カバー４６に彩色を施すことにより、意匠性の向上を図ることが可能になる。
特に、本発明のようにめっきや塗装を施した外カバー４６を別体で着脱自在に設けることで、使用者の好みに応じて、安価に外観の色彩を選択することができる。
【００２０】
また、めっきや塗装を施した外カバー４６は、シャワーヘッド４ｂの通水路４７ｃとは別体にて構成されているため、従来のように、通水路４７ｃにめっきや塗装が付着しないように、マスキングのためのめっき付着防止用塞ぎ蓋やマスキング剤の塗布という工程や付着しためっきや塗装を除去する工程が不要となり、安価に部品を製作することが可能である。
また、通水路４７ｃと外カバー４６の間に空気層を持つことも可能となり、断熱効果が狙える利点もある。
【００２１】
次に、図５に基づき、シャワーヘッド４ｂの内部構造についてより詳しく説明する。
シャワーヘッド４ｂは、湯水流入口部４７ａを有する保持管４７と、複数の散水孔４１ｃを有する散水管４７ｂと、押ボタン４３と、この押ボタン４３で吐水・止水を行う開閉弁４２から主に構成されている。
【００２２】
各構成部品の具体的な構造ならびに各構成部品の相互関係について以下に説明する。
保持管４７は、Ｉ字型の略柱形状をしており、シャワーヘッド４ａの保持部４１ａの内部に位置する。
そして、保持管４７の一端には、水栓金具本体２からシャワーホース４aを介して湯水が供給される湯水流入口部４７ａを具備し、他端には、Ｏリングなどのパッキン４８を介して散水管４７ｂを螺着するねじ部４９とを具備している。
【００２３】
散水管４７ｂは、Ｉ字型の略柱形状をしており、側面に散水部４１ｂを形成し、この散水部４１ｂ以外は外カバー４６で覆われている。なお、外カバー４６の表面と散水部４１ｂの表面を略同一面となるように形成している。なお、好ましくは、外カバー４６よりも散水部４１ｂが若干凸設するようにするとよい。そのように構成することで、外カバー４６の散水部４１ｂ側の開口端部を何かに衝突させることがなくなり、外カバー４６のめっきや塗装が開口端部から剥れ難くなる。
また、散水孔４１ｃがこの散水管４７ｂ（散水部４１ｂ）の側面の長手方向に複数設けられている。
【００２４】
シャワーヘッド４ｂの内部には吐水・止水を制御する開閉弁４２が装着されている。
この開閉弁４２は、図５、６に示すように、主弁５３、弁座５２、ばねなどの弾性体５４、弁体５５、カバー５６、Ｏリングなどのパッキン５０、５１から構成されている。
この開閉弁４２の具体的な構成を以下で説明する。
弁体５５とカバー５６とを係止して結合することにより、略筒形状をした開閉弁４２の外部を形成する。
そして、この弁体５５には、弁座５２を形成し、さらに、この弁座５２の中央に通水開口５５ａを形成している。
さらに、主弁５３が、この通水開口５５ａを開閉するために弁座５２に着座・離座するように、ばねなどの弾性体５４にて着座する方向に付勢されながら開閉弁４２内を軸方向にスライド可能に配置されている。
つまり、カバー５６内にスライドガイド５６ｂが形成されており、このスライドガイド５６ｂに主弁５３がＯリングなどのパッキン５１を介在させて設けられ、さらにこのスライドガイド５６ｂと主弁５３との間にばねなどの弾性体５４が配置されている。
なお、カバー５６には、通水開口５６ａが設けられている。
そして、この開閉弁４２は、図６に示すように、保持管４７のねじ部４９側の内部にＯリングなどのパッキン５０を介して装着されて、さらに、散水管４７ｂをこのねじ部４９に螺合することで保持管内に固定される。
なお、弁体５５が散水管４７ｂ側に位置し、カバー５６が保持管４７に位置するように（湯水流入口部４７ａ側に向くように）、開閉弁４２をシャワーヘッド水栓金具本体４７内に配置する
そして、主弁５３は、弁体５５の弁座５２に着座して止水するように、ばねなどの弾性体５４によって散水管４７ｂ方向（つまり下流方向）に付勢されているのである。
【００２５】
次に、この開閉弁４２の開閉を押ボタン４３にて操作するための内部構造を図６、７に基づき説明する。
開閉弁４２の作動を介助するものとして軸４４が散水管４７ｂと軸ガイド５７を貫通するように配置されている。
なお、軸ガイド５７は、Ｏリングなどのパッキン５８を介して散水管４７ｂの端部に装着され、さらに、この軸ガイド５７の軸方向にＯリングなどのパッキン５９を介し押ボタン４３を装着している。
そして、軸４４は、軸ガイド５７内に配置した押ボタン４３と直列に連動するように配している。さらに、開閉弁４２の主弁５３に凹部５３ａを形成し、この凹部５３ａに軸４４を挿入している。
そのため、押ボタン４３を操作することで、軸４４を介し開閉弁４２を作動して開閉するように構成されている。
【００２６】
つまり、押ボタン４３を押すことにより、押ボタン４３と連動した軸４４が弾性体５４の付勢に逆らい主弁５３を押し下げて、図６に示すように、通水開口５５ａを開き、散水孔４１ｃからシャワー吐水することになる。この時押ボタン４３はロックされ、通水状態を保つことが可能となる。
なお、このロック機構は、従来のシャワーヘッドに用いた吐水止水を手元で行う押ボタンのロック機構と同様のため、図５中での詳細構造とその説明を省略する。
【００２７】
そして、再度押ボタン４３を押すと、押ボタンのロックが解除され弾性体５４の復元する力により、図５に示すように、主弁５３が付勢され弁座５２に着座して通水開口５５ａを塞ぎ、散水孔３からシャワー吐水を閉止することになる。
【００２８】
以上のように構成することで、押ボタン４３の操作を開閉弁４２に伝達させるために複雑な機構を必要としない。つまり、押ボタン４３を押す方向と開閉弁４２を開く方向とが同軸上に配置することができるため、押しボタン４３の操作を開閉弁４２に伝達する軸は、まっすぐな棒形状として直線上に配置すればよいのである。
また、このように通水路に対して上述するように開閉弁４２を配置することで、開閉弁４２を介在させても散水部４１ｂまでの通水経路を略直線上に形成することができ、通水路が入り組んで複雑になることもないため、安価に製造できるとともに、シャワーヘッド４ｂをコンパクトにして軽量化を図ることができる。
【００２９】
次に、図５に示すシャワーヘッド４ｂに対して、吐水・止水の開閉操作だけでなく、流量調整の機能を備えた実施例を図７に基づき説明する。
なお、図５と同様の構成については説明を省略する。
図７に示すように、軸４４を２部品で構成することによって、流量調整が可能な構造を持つことが可能となる。つまり、図５の軸４４を、図７に示すように上側軸４４ａと下側軸４４ｂによって構成すればよい。
具体的には、開閉弁４２側に配置される下側軸４４ｂは片側にねじ部６０を具備している。
さらに、この下側軸４４ｂにスリット６１を形成して、開閉弁４２の近傍に形成したガイド部６２にそのスリット６１を通して、下側軸４４ｂが回転させずにガイド部６２に沿ってスライドするようにしている。
そして、押ボタン４３側に配置される上側軸４４ａには下側軸４４ｂのねじ部６０と螺着可能なねじ部６３が具備されている。
さらに、押ボタン４３は、ボタン部の上下運動とともに、回転可能な構造とする。
【００３０】
また、図７（Ｂ）は、図７（Ａ）のシャワーヘッドの押ボタン４３側から見た平面図を縮小した図である。このように押ボタン４３の先端部は、図７（Ｂ）に示すように、例えば平面視円形状とせずに一部円弧をカットして（カットした部分４３ａ）、平面視略Ｄ字形状のようにしておくことで、指が係り易く、押ボタン４３を容易に回転させることができる。そして、上側軸４４ａと組み合わされることにより、確実に下側軸４４ｂに回転運動を伝達して流量調整することが可能となる。
以上の構成として、押ボタン４３を回転させると、上側軸４４ａのみが回転し（下側軸４４ｂはスリット６１によって回転しない）、ねじ部６０、６３同士がねじ回しされて進退して、主弁５３を押す距離を調整することができるのである。
つまり、図６に示すように、押ボタン４３を押し、バルブを開状態でロックしたあと押ボタン４３を回転させると、軸４４の全長が伸縮し弁体５３の開口面積ｂを変化させることができるので、吐水量の調整が可能となる。
【００３１】
さらに、図５に示すシャワーヘッド４ｂに対して、押ボタン４３による開閉機構の代わりに、開閉ツマミ７０による吐水・止水および流調機構を搭載した例を図８に示す。
なお、図５、６と同様の構成については説明を省略する。
図８に示すシャワーヘッド４ｂにおいては、図７の上側軸４４ａを押ボタン４３と一体に、下側軸４４ｂを主弁５３と一体に構成して、図８に示すように上側軸７０ａと一体となった開閉ツマミ７０と下側軸４４ｂ、開閉弁７１とで構成すればよい。
そして、開閉弁７１側に配置される下側軸４４ｂを止めねじ等の固定部品７２とで一体的に構成する。
さらに、操作部である開閉ツマミ７０側の軸部７０ａの先端には下側軸４４ｂのねじ部６０と螺着可能なねじ部６３が具備されている。
そして、操作部である開閉ツマミ７０は、回転可能な構造とする。
なお、図８におけるシャワーヘッド４ｂにおけては、図５、７のシャワーヘッド４ｂの押ボタン４３に備えていたロック機構は不要である。
【００３２】
また、図８（Ｂ）は、図８（Ａ）のシャワーヘッドの開閉ツマミ７０側から見た平面図を縮小した図である。このように開閉ツマミ７０の先端部は、図８（Ｂ）に示すように、例えば平面視円形状とせずに一部円弧をカットして（カットした部分７０ｃ）、平面視略Ｄ字形状のようにしておくことで、指が係り易く、開閉ツマミ７０を容易に回転させることができる。そして、確実に下側軸４４ｂと、さらに下側軸に一体化された開閉弁７１に回転運動を伝達し、開閉弁７１を回転させるとともに、弁座５２に着座・離座させて吐水・止水および流量調整することが可能となる。
以上の構成として、開閉ツマミ７０を回転させると、ねじ部６０、６３同士がねじ回しされて進退して、下側軸４４ｂおよび開閉弁７１が回転し、開閉弁７１を弁座５２に着座・離座させて吐水・止水および流量調整することが可能となる。
【００３３】
さらに、開閉弁７１自体も、図６のような複雑な部品構成を必要とせず、つまり図６における主弁５３自体が、開閉ツマミ７０の回転操作を受けて上下に稼動すれば良いので、弁体５５やカバー５６などを散水部４１ｂや散水管４７ｂと一体とすることができ、弾性体５４等も必要としないので部品点数を削減し、簡略化した構造とすることができる。
【００３４】
なお、上記の例においてはシャワーヘッドの継手４５に係合用の凸部４５ａを設け、図８（ｃ）に示すようにフック部１０に係合用の溝部１０ｂを設けておくことが好ましい。なぜならば、シャワーヘッド４ｂをフック部１０に係止する際、継手４５に設けた凸部４５ａを溝部１０ｂに係合させることで、散水孔からの吐水の勢いが強い場合においても、シャワーヘッド４ｂがフック部１０から外れるおそれが低減できるからである。
【００３５】
また、水栓金具本体２とシャワーホース４ａとの間に図９に示すような調圧弁１５を介在させておくことが好ましい。
なお、特に可撓性を有する樹脂製のシャワーホース４ａの場合に、このシャワーホース４ａの上流側に調圧弁１５を配置することが好ましい。
次に調圧弁１５の作動について説明する。
このシャワーホース４ａの下流側に接続している吐水部の開閉弁を開にすると、調圧弁１５の下流側が大気開放されて水圧が下がり、その結果、図９（ａ）に示すように、調圧弁１５内に配置されたバネ１５ａの付勢力によって弁体１５ｂがシート部１５ｃから離座して開状態となり、通水可能となる。
また、通水時においても、上流側の水圧と下流側の水圧とバネ１５ａの付勢力のバランスにより弁体１５ｂは上下に微妙に移動する。そのため、この調圧弁１５を介在させることで、上流側の水圧が変動しても下流側の水圧はほぼ一定とすることができる。
また、吐水部の開閉弁を閉にすると、調圧弁１５の上流側の水圧と下流側の水圧とが同じとなり、受圧面積の大きい下流側の圧力が、上流側の圧力とバネ１５ａの付勢力に勝って、図９（ｂ）に示すように、弁体１５ｂをシート１５ｃに押し当てて閉状態とし通水不可とする。この結果、調圧弁１５の下流側に位置する開閉弁までのシャワーホース４ａ内に上流側の水圧（給水圧）が加わらないのである。
【００３６】
次に、図１０に基づき、本発明の別の実施例である水栓金具Ｂを洗面化粧台に用いる場合について説明する。
この水栓金具Ｂは、図２に示す水栓金具Ａとほぼ同様の構成である。そのため、異なる部分について以下で説明し、同様の部分について説明を省略する。
この水栓金具Ｂは、温度調整部３のハンドルと別体で形成しカウンター１１の離れた位置に基部１３ｂに配置して、この基部１３ｂ上に吐水部１３を設置している。そして、この吐水部１３の先端には、吐水口１３ａを有し、この吐水口１３ａの近傍に操作部１４を配置している。この操作部１４を操作することで吐水部１３に内蔵した開閉弁を開閉させる。なお、開閉弁は流量調整機能を有することが好ましい。なお、この開閉弁としては、シリンダバルブやボールバルブなどを用いると良い。ただしこれに限定されるものではない。
【００３７】
なお、本発明は、本発明の主旨に逸脱しない限り、上記実施例に限定されるものではない。
【００３８】
【発明の効果】
以上により、吐水をすぐに止めて余計な吐水を強いられず、かつ、水栓金具本体の部品点数を低減させてコンパクトにすると共に安価でシンプルな水栓金具を提供することができる。
【図面の簡単な説明】
【図１】本件発明の一実施の形態である水栓金具の概略構成を示す。
【図２】図１に示す一実施の形態である水栓金具Ａを示す。
【図３】図２に示す吐水部の使用状態を示す。
【図４】本件発明の一実施例に用いるシャワーヘッドの外観斜視図を示す。
【図５】図４に示すシャワーヘッドの断面図を示す。
【図６】図４に示すシャワーヘッドの開閉弁の内部断面図を示す。
【図７】本件発明の一実施例に用いる別のシャワーヘッドの断面図を示す。
【図８】本件発明の一実施例に用いる別のシャワーヘッドの断面図を示す。
【図９】本件発明の水栓金具に用いられる調圧弁を示す。
【図１０】図１に示す一実施の形態である水栓金具Ｂを示す。
【図１１】従来の洗面化粧台用水栓金具の外観斜視図を示す。
【符号の説明】
Ａ、Ｂ・・水栓金具
１ａ・・給水管
１ｂ・・給湯管
２  ・・水栓金具本体
３  ・・温度調整部
４ａ・・シャワーホース
４ｂ・・吐水部（シャワーヘッド）
８  ・・調圧弁
１０  ・・フック部
１１  ・・カウンター
１２  ・・シンク
１３  ・・吐水部
１３ａ・・吐水口
１３ｂ・・基部
１４  ・・操作部
４１ａ・・保持部
４１ｂ・・散水部
４１ｃ・・散水孔
４２  ・・開閉弁
４３  ・・押ボタン
４４  ・・軸
４４ａ・・上側軸
４４ｂ・・下側軸
４５  ・・継手
４５ａ・・凸部
４６  ・・外カバー
４７  ・・保持管
４７ａ・・湯水流入口部
４７ｂ・・散水管
４７ｃ・・通水路
４８  ・・パッキン
４９  ・・ねじ部
５０  ・・パッキン
５１  ・・パッキン
５２  ・・弁座
５３  ・・主弁
５３ａ・・凹部
５４  ・・弾性体
５５  ・・弁体
５５ａ・・通水開口
５６  ・・カバー
５６ａ・・通水開口
５６ｂ・・スライドガイド
５７  ・・軸ガイド
５８  ・・パッキン
５９  ・・パッキン
６０  ・・ねじ部
６１  ・・スリット
６２  ・・ガイド部
６３  ・・ねじ部
７０  ・・開閉ツマミ
７０ａ・・軸部
７０ｃ・・カット部
７０ｂ・・ねじ部
７１  ・・開閉弁
７２  ・・固定部品
１０３・・温度調整部
１０４・・流量調整部
１０６・・シャワーホース
１０７・・シャワーヘッド
１０７ａ・散水部
１０９・フック部
１１０・・押ボタン
１１３・・カウンター
【図１】
2004197446.tif 000003
【図２】
2004197446.tif 000004
【図３】
2004197446.tif 000005
【図４】
2004197446.tif 000006
【図５】
2004197446.tif 000007
【図６】
2004197446.tif 000008
【図７】
2004197446.tif 000009
【図８】
2004197446.tif 000010
【図９】
2004197446.tif 000011
【図１０】
2004197446.tif 000012
【図１１】
2004197446.tif 000013